(57)【要約】      （修正有）【課題】本発明は、アウトセット引戸装置であっても、メンテナンスパネルの表面板を、引戸の表面板とほぼ面一とすることが可能な引戸装置を提供する。【解決手段】出入開口部を開閉するアウトセット引戸装置において、扉の表面部により形成された凹部に、メンテナンスの下端部を収容し、メンテナンスパネルの表面板と、引戸の表面板がほぼ面一となるように形成し、メンテナンスパネルを、長尺方向の両端付近で、レール部材部分側に設けられた固定部材に上下方向に高さ調整可能に固定するとともに、メンテナンスパネルの長尺方向の中央部付近で、調整部材で、上下、前後方向に調整可能とする。【選択図】図１０
2018159228.tif 000002
【特許請求の範囲】
【請求項１】
出入開口部を開閉するアウトセット引戸装置において、アウトセット引戸装置は、少なくとも、レール部材、扉、レール部材部分を隠蔽するメンテナンスパネルを備え、メンテナンスパネルは、扉の開閉方向に長尺に形成され、メンテナンスパネルの表面板と、引戸のメンテナンスパネル側の表面板がほぼ面一となるように形成されるものであって、メンテナンスパネルは、長尺方向の両端付近で、レール部材部分側に設けられた固定部材に上下方向に高さ調整可能に固定されるとともに、メンテナンスパネルの長尺方向の中央部付近で、調整部材によって、上下方向に調整可能とされることを特徴とするアウトセット引戸装置。
【請求項２】
メンテナンスパネルの長尺方向の中央部付近で、調整部材によって、メンテナンスパネルを前後方向に調整可能とされることを特徴とする請求項１に記載のアウトセット引戸装置。
【発明の詳細な説明】
【技術分野】
【０００１】
本発明は、特に事務所の出入口等に使用されるデザイン性に優れた引戸装置に関するものである。
【背景技術】
【０００２】
デザイン性を考慮して、メンテナンスパネル（点検パネル、ランマパネル）の表面板を、閉鎖状態の引戸の前後面板とほぼ面一とした引戸装置がある。
このような引戸装置の場合、明かり漏れ防止のため、引戸上部に凸部を設け、凸部と引戸表面材との間に生まれる凹部にメンテナンスパネルの下端部を収容している（例えば特許文献１）。
一方、建物内の壁面に設置し、出入り口開口部を開閉自在に閉塞するアウトセット引戸装置がある（例えば特許文献２）。アウトセット引戸装置の場合、メンテナンスパネルは、特許文献２の符号２７に示されるカバー材のように出入り口開口部の上部から、引戸扉が開放された時の引戸扉の引き込み部の上部まで引戸扉の開閉方向に長尺に形成される。
このように、メンテナンスパネルが長尺に形成されるアウトセット引戸装置に、デザイン性を考慮したメンテナンスパネルの表面板を引戸の前後面板とほぼ面一とした構成を採用すると、メンテナンスパネルが長尺であるため、メンテナンスパネルが自重で長尺方向の中央部付近で下方に撓んだり、出入り口開口部の出入り方向である前方向に撓んだり、メンテナンスパネルが前後方向に傾いたりと、メンテナンスパネルの表面板を引戸の前後面板とほぼ面一とすることが難しかった。
【先行技術文献】
【特許文献】
【０００３】
【特許文献１】特開２０１５−２０３２１１公報
【特許文献２】特開２０１４−１５６７２１公報
【発明の概要】
【発明が解決しようとする課題】
【０００４】
本発明は、アウトセット引戸装置であっても、メンテナンスパネルの表面板を、引戸の表面板とほぼ面一とすることが可能な引戸装置を提供することを課題とする。
【課題を解決するための手段】
【０００５】
上記課題を解決する為、本発明が第１の手段として構成したところは、出入開口部を開閉するアウトセット引戸装置において、アウトセット引戸装置は、少なくとも、レール部材、扉、レール部材部分を隠蔽するメンテナンスパネルを備え、メンテナンスパネルは、扉の開閉方向に長尺に形成され、メンテナンスパネルの表面板と、引戸のメンテナンスパネル側の表面板がほぼ面一となるように形成されるものであって、メンテナンスパネルは、長尺方向の両端付近で、レール部材部分側に設けられた固定部材に上下方向に高さ調整可能に固定されるとともに、メンテナンスパネルの長尺方向の中央部付近で、調整部材によって、上下方向に調整可能とされるものである。
【０００６】
上記課題を解決する為、本発明が第２の手段として構成したところは、第１の手段として構成したところに加え、メンテナンスパネルの長尺方向の中央部付近で、調整部材によって、メンテナンスパネルを前後方向に調整可能とされるものである。
【発明の効果】
【０００７】
第１手段として構成したところによると、メンテナンスパネルは、長尺方向の両端付近で上下調整可能に固定されているから、扉の設置時に、扉の高さ方向の位置調整により扉が上下に移動したとしても、扉に合わせてメンテナンスパネルも上下方向に調整できるためメンテナンスパネルの表面板と、引戸のメンテナンスパネル側の表面板がほぼ面一にすることができる。  また、メンテナンスパネルの長尺方向の中央部付近で、上下方向に調整可能であるから、メンテナンスパネルが中央部付近で下方に撓んだとしても、調整部材でメンテナンスパネルの下方に撓んだ部分を押し上げることが可能であるため、メンテナンスパネルの表面板と、引戸のメンテナンスパネル側の表面板がほぼ面一にすることが可能である。
【０００８】
第２手段として構成したところによると、前記の効果に加え、メンテナンスパネルの長尺方向の中央部付近で、出入り口開口部の出入り方向である前後方向に調整可能であるから、メンテナンスパネルが中央部付近で前後に撓んだ場合や、メンテナンスパネルが前後方向に傾いた場合でも、調整部材でメンテナンスパネルの前後方向の撓みの矯正が可能であるため、メンテナンスパネルの表面板と、引戸のメンテナンスパネル側の表面板をほぼ面一にさせることが可能である。
【図面の簡単な説明】
【０００９】
【図１】本発明の引戸装置の閉鎖状態の正面略図。
【図２】本発明の引戸装置の閉鎖状態の背面略図。
【図３】図１のＡ―Ａ線断面拡大図。
【図４】図１のＢ―Ｂ線断面拡大図。
【図５】図１のＣ―Ｃ線断面拡大図。
【図６】図３の要部拡大断面。
【図７】本発明の引戸装置の分解斜視図。
【図８】図７のＡ部拡大図。
【図９】図７のＢ部拡大図。
【図１０】調整部材の分解斜視図。
【図１１】メンテナンスパネルの調整方法を示す概略図。
【発明を実施するための形態】
【００１０】
出入開口部を開閉するアウトセット引戸装置において、引戸装置は、少なくとも、レール部材、扉、レール部材部分を隠蔽するメンテナンスパネルを備え、メンテナンスパネルを、扉の開閉方向に長尺に形成し、扉の前面側の上端部に開閉方向に長尺で、扉巾全部に凹部を形成し、該凹部にメンテナンスの下端部を収容し、メンテナンスパネルの表面板と、引戸の表面板がほぼ面一となるように形成し、メンテナンスパネルを、長尺方向の両端付近で、レール部材部分側に設けられた固定部材に上下方向に高さ調整可能に固定するとともに、メンテナンスパネルの長尺方向の中央部付近で、調整部材で、メンテナンスパネルを上下、前後方向に調整可能とする。
【実施例】
【００１１】
以下、第１実施例を添付図面に基づいて詳述する。
図２において、符号１は出入開口部の開口枠を示しており、図１において、符号１００は、出入開口部に設置される引戸装置を示している。
開口枠１は、図３、図４に示すように、建物用鉄骨１０１・・・にブラケット１０２・・・を介して固定された戸尻側縦枠１０３および戸先側縦枠１０４と、戸尻側縦枠１０３と戸先側縦枠１０４の上端間に配設され、建物用鉄骨１０１・・・に連結された上枠１０５等より構成されている。そして、建物用鉄骨１０１・・・の前後側には、建物用鉄骨１０１・・・を挟んで、せっこうボードなどの化粧ボード２００、２００が貼り付けられ、建物の内装の壁体が形成される。
図３、図５において、符号２ａは、化粧ボード２００を貼り付ける前に、開口枠１の上方部と該上方部から引戸扉６が開放される側に掛けて設置される補強板を示す。
以下、戸尻側縦枠１０３と戸先側縦枠１０４間を出入口側、戸尻側縦枠１０３を挟んで、戸先側縦枠１０４の対向側を引込側、開口枠１の人の出入り方向を前後方向、戸尻側縦枠１０３と戸先側縦枠１０４の方向を開閉方向と云う。
引戸扉６の開閉方向での両端部のうち、閉止方向の端部を戸先側、開放方向の端部を戸尻側と云う。また、前後方向に内、メンテナンスパネル９が設置される側（図１で示す側）を前側、反対側（図２で示す側）を後側と云う。
【００１２】
引戸装置１００は、主に、補強板２ａが設置された側の壁面に取り付けられるレール補強部材２、レール補強部材２に取り付けられるレール保持材５、レール保持材５に取り付けられるレール部材５０、レール部材５０にブラケットを介して吊り下げられる引戸扉６、引戸扉６の下部の前後の揺れを抑制するガイド装置４、レール保持材５を覆い隠すメンテナンスパネル９で構成されている。
【００１３】
以下、本件発明に関係する部材と設置方法について詳述する。
開口枠１の戸尻側縦枠１０３と戸先側縦枠１０４は、対称形であって開閉方向で対称に設置されるものであるから、戸尻側縦枠１０３についてのみ説明する。
戸尻側縦枠１０３は、横断面略コ字形に形成され、建物用鉄骨１０１の出入口側面から所定寸法離間した位置に立設され、L字形のブラケット１０２・・・と建物用鉄骨１０１が溶接されたあと、鉛直姿勢の状態でブラケット１０２と溶接される。
【００１４】
上枠１０５は、図３に示す如く、断面上向き略コ字形に構成されている。L字形のブラケット１０２・・・と建物用鉄骨１０１が溶接されたあと、水平姿勢の状態でブラケット１０２と溶接される。
【００１５】
尚、戸尻側縦枠１０３と戸先側縦枠１０４と上枠１０５は、前記の溶接を行う前に、まず、戸尻側縦枠１０３と戸先側縦枠１０４を立設し、上枠１０５の戸先側と戸尻側のそれぞれを戸先側縦枠１０４と戸尻側縦枠１０３にネジ止めして、上枠１０５と戸尻側縦枠１０３と戸先側縦枠１０４を門型に仮組みした状態で、前記のように溶接し、建物用鉄骨１０１に連結する。
【００１６】
ガイド装置４は、図３に示すように線直断面視コ字状のガイドローラー取付部材４０と、ガイドローラー取付部材４０の上面に回転可能に取り付けられるガイドローラー４１と、図４に示すように、ガイドローラー取付部材４０の戸先側に取り付けられるゴム製の戸当り４２で構成される。
ガイドローラー取付部材４０をアンカーボルトにて所定の位置で床面に固定し、ガイド装置４は設置される。
【００１７】
レール補強部材２は、図３に示すように、開口枠１の上方の壁面に設置されるものであって、主に、鉛直断面視で逆Ｌ字状に形成され出入口側から引込側までの長さの基材２１と、基材２１の左右端部と中央部付近の上部前面に取り付けられるレール吊金具２２・・・で構成される。
このように構成されたレール補強部材２は、開口枠１の上方の壁面にネジにて固定される。この時、ねじは、化粧ボード２００を貫通して、化粧ボード２００貼り付ける前に設置された補強板２ａに対して締結力が効くように固定される。したがって、補強板２ａは、鋼板や合板などのネジ締め付け強度が確保できる材料が適宜採用される。
【００１８】
レール保持材５は、レール補強部材２に対して開閉方向長さが若干短く形成され、図３に示すように、レール部材５０が前側に連結されるレール部材連結壁５ａを有し、左右両端部と中央部付近の、前記レール補強部材２のレール吊金具２２に対応した上部に、上方に突出する吊り下げボルト５ｂが設置されている。
このように構成されたレール保持材５は、吊り下げボルト５ｂを使い、レール補強部材２のレール吊金具２２に対して、高さ調節可能で、水平状態にナットにて螺合固定される。
また、レール保持材５の中央部付近の下部で、Ｌ字状のアングル材５ｃを使い、レール補強部材２に対して固定され、レール保持材５の前後の振れを防止している。
【００１９】
レール部材５０は、レール保持材５のより短い長さでレール部材５０の長尺方向に渡って配設され、図３に示すように、断面略C字形で、レール保持材５よりやや短目のレール補強部材と、レール補強部材の室内側にネジ止め連結される断面略C字形で、レール補強部材とほぼ同長の外側メンバーと、外側メンバーの略３分の２程度の長さのボールリテーナに回転自在に保持されたボールを介して、外側メンバーに摺動自在に保持される、外側メンバーの略３分の１程度の長さの移動側メンバーより構成され、移動側メンバーの前面側には、移動側メンバーと同程度の長さの吊り下げ用金具５１が固着されている。
【００２０】
吊り下げ用金具５１は、図３に示すように、移動側メンバーの前面側に固着される連結固着部５２と、連結固着部５２の下端部に連設された前面側が開口するコ字形の吊り下げ支持部５３より構成されている。
そして、吊り下げ支持部５３の開閉方向側両端部には、前面側が開口する吊り下げボルト挿通孔が形成されている。
【００２１】
吊り下げ用金具５１に吊り下げられる引戸扉６は、戸先側に設けられる引戸縦枠６５と引戸扉６の上部に設けられる引戸上枠６４と、引戸上枠６４の上面に取り付けられる凸部材７と、引戸扉６の下部に設けられる引戸下枠６６と、引戸縦枠６５と引戸上枠６４と引戸下枠６６に囲まれた空間に配設されるペーパーハニカムコア６７で内部構造材が形成され、該内部構造材の前面と後面を、前面板６２、後面板６３で覆うことによってパネル形状とされ、凸部材７の上面から上部カバー８が被せられる。
【００２２】
図３に示すように、引戸扉６の上部には前側凹部７００、後側凹部７０１が形成され、引戸下枠６６の下端面の開閉方向に前記ガイドローラー４１が嵌合する嵌合溝６０が形成され、戸先部には、緩衝部材である上下方向に長い戸当りゴム６００が設けられている。
図１、２の符号３００は、引戸扉６の戸先側端部（引き残し部）で、前後面板６２、６３に設けられた取手を示している。符号３０１は、引戸扉６の施錠装置である。
【００２３】
前側凹部７００、後側凹部７０１は、凸部材７によって形成される。
凸部材７は、引戸上部に立設し、開閉方向に長尺で、引戸扉６の前面板６２と後面板６３間で形成される引戸扉６の全体の厚みより薄く設定される断面下向きコ字状の凸部７２と、凸部７２の下端から前後にそれぞれに突出する前支持突片７２１と後支持突片７２２を有し、凸部７２は、引戸扉６の開閉方向（巾方向）と略同一寸法の長さに形成されている。
【００２４】
凸部材７の前支持突片７２１上面に、前面板６２の上部で折り曲げられた折曲部が被せられ、後支持突片７２２上面に、後面板６３の上部で折り曲げられた折曲部が被せられる。このようにすることで、引戸扉６上部では、表面板の折り曲げ部が見えるだけであるから、前後支持突片の端面などが見えることなく見栄えが良い。
このように、凸部材７は、引戸扉６の全体の厚みより薄いので、引戸扉６の表面板と凸部材７間に段差状の凹部（前側凹部７００、後側凹部７０１）が形成される。
該凹部は、メンテナンスパネル９の下部が収容される部分である。
凸部材７によってメンテナンスパネルの下端下に生まれるわずかな隙間から引戸装置の構造体が見えることを防止でき、引戸扉を挟んだ対面側の光が、他方側に漏れてくることを防止できる。
【００２５】
上部カバー８は、本実施例における壁面に設置されるアウトセット型の引戸装置の時に使用されるものであって、アウトセット型の引戸装置の場合は、メンテナンスパネルが前面部のみであるため、後側凹部７０１が不要であるから、後面板６３と、凸部材７との段差、すなわち後側凹部７０１を埋めるものである。
したがって、上部カバー８は、後側凹部７０１で引戸扉６の後面板６３と面一となる面を８ａ有し、引戸扉６の開閉方向（巾方向）と略同一寸法の長さに設定されている。
上部カバー８が無くとも、後面板６３の上端を上部まで引き上げることによって、後側凹部７０１を埋めてもよい。
【００２６】
このように構成された引戸扉６の上面の戸先側端部と戸尻側端部のそれぞれに、鉛直する軸を回転軸として回転する回転ローラー１０、１０が取り付けられる。
回転ローラー１０は、引戸扉６の前後（出入り）方向の中心に回転軸が設定され、ローラー径は、引戸扉６の前面板６２、後面板６３から飛び出さなく、引戸扉６の厚み寸法よりやや小さく、凸部材７厚みより大きい直径に設定される。
そして、吊り下げ六角ボルト６１、６１が、引戸扉６の引戸上枠６４に設けられた螺孔に螺合される。
【００２７】
引戸扉６は、引戸扉６の下端部の嵌合溝６０に、床面に固定されたガイド装置４のガイドローラー４１を差し込むようにガイド装置４の上部から降ろされ、そして、出入口の前側より、吊り下げ六角ボルト６１、６１の螺軸部が、吊り下げ支持部５３の吊り下げボルト挿通孔を挿通して、ボルト頭部が吊り下げ用支持部５３に保持され、必要に応じて頭部をスパナで回動して引戸扉６を所定の高さに位置させた後、ボルト保持体６５、６５が吊り下げ用支持部５３に前側より連結されて、レール部材５０に吊り下げ用金具５１を介して吊り下げられる。
【００２８】
さらに、引戸扉６を吊り下げた状態で、吊り下げ用金具５１の戸先側端部とレール保持材５の戸先側端部間にゼンマイ式の自閉装置（図示せず。）を配設し、レール保持材５と吊り下げ用金具５１間にブレーキ装置（図示せず。）を配設し、引戸扉６の所望の自閉スピードを得る。尚、実施例のゼンマイ式の自閉装置、ブレーキ装置は公知（市販）のものを使用しているので説明は省略する。また、ゼンマイ式の自閉装置、ブレーキ装置の代わりに公知（市販）の引戸の引き込み装置が使用されることもある。
【００２９】
メンテナンスパネル９は、レール補強部材２を覆う大きさ、すなわち、出入口側から引込側までの長さに形成されたものであって、メンテナンスパネル９を取り付けた状態で引戸扉６の前面板６２と面一になる前表面板９１と、前表面板９１の上端から後方に延伸する上板９２と、上板９２の延伸端から垂下する補強片９２ａと、前表面板９１の左右の両端からそれぞれ後方に延伸する側板９３、９３と、引戸上部に形成された前側凹部７００に収容されるメンテナンスパネル下部突部９４からなる。
前表面板９１の内面（後面）側の下端から上部にかけて、板状のガイド板９５が取り付けられている。
【００３０】
このように形成されたメンテナンスパネル９は、引戸扉６が吊り下げられた状態で、レール保持材５の中央部上面に調整部材１２にメンテナンスパネル９の補強片９２ａを引っ掛けてから、レール保持材５の左右両端に上下調整可能にネジ止めされたメンテナンスパネル固定部材１１、１１に化粧ネジ１３、１３にて固定される。
【００３１】
次に、メンテナンスパネル固定部材１１について詳述する。尚、メンテナンスパネル固定部材１１は、戸先側を戸尻側に取り付けられるものと対称形であるため、戸先側に取り付けられるメンテナンスパネル固定部材１１について説明する。
メンテナンスパネル固定部材１１は、図８に示すように、前面（正面）視、縦長長方形であって板状に形成され上下方向に長尺な長孔１１ｂを有した基板１１ａと、基板１１ａの戸先側端部より後側に延伸する補助板１１ｃと、補助板１１ｂの上端から戸尻側に延伸する取り付け部１１ｄで形成されるもので、取り付け部１１ｄにはメンテナンスパネル９を固定する化粧ネジ１３が螺合する螺合孔１１ｅが設けられている。
【００３２】
このように形成されたメンテナンスパネル固定部材１１は、前述のとおり、レール保持材５の端部所定の位置に、正面側から長孔１１ｂを貫通しながら固定ネジ１１１で固定される。メンテナンスパネル固定部材１１は、長孔１１ｂの分だけ上下方向に調整可能であり、前後方向、開閉方向にはほとんど移動しない。
【００３３】
尚、補助板１１ｃは、上下に長尺な板状であって、補助板１１ｃの下方部１１ｆが前側に突出しており、該下方部１１ｆの前側端面が、メンテナンスパネル９の前面板６２下方の内面に近接する。メンテナンスパネル固定部材１１は取り付けられた状態で、上下方向のみに移動可能なので、このように補助板１１ｃの下方部１１ｆの前側端面とメンテナンスパネル９の前面板６２の内面が近接ことにより、メンテナンスパネル９が取り付けられた状態で、メンテナンスパネル９の両端部の下部が、後側に押し込まれると、メンテナンスパネル９の前面板６２下方の内面が下方部１１ｆの前側端面に当り、メンテナンスパネル９が変形することを防止することができる。すなわち、補助板１１ｃは、メンテナンスパネル９の変形防止の補助部材とされている。
【００３４】
次に調整部材１２について詳述する。調整部材１２は図１０に示すように、前後調整部材１２１と上下調整部材１２２で構成される。
前後調整部材１２１は、平面視で横長長方形の板状の基部１２１ａと、基部１２１ａの後端部より上方に延伸する立ち上がり部１２１ｂで形成され、基部１２１ａには前後方向に長尺な長孔１２１ｃ、１２１ｃが設けられ、立ち上がり部１２１ｂには、上下方向に長尺な長孔１２１ｄ、１２１ｄが設けられている。
上下調整部材１２２は、正面視で横長長方形の板状の掛かり部１２２ａと、掛かり部１２２ａの上端部より前方に延伸する受け部１２２ｂで形成され、掛かり部１２２ａには前記、前後調整部材１２１の長孔１２１ｄ、１２１ｄに対応した螺孔１２２ｃ、１２２ｃが設けられ、受け部１２２ｂにも前記、前後調整部材１２１の長孔１２１ｃ、１２１ｃに対応した螺孔１２２ｄ、１２２ｄが設けられている。
【００３５】
調整部材１２は次のように取り付けられる。
まず、前後調整部材１２１の基部１２１ａの下面を、レール保持材５の中央部上面に載せ、レール保持材５の所定の位置に設けられた螺孔を使い、長孔１２１ｃ、１２１ｃをそれぞれに貫通しながら上方よりネジにてレール保持材５の中央部付近上面に固定する。次に、上下調整部材１２２の掛かり部１２２ａの前面と前後調整部材１２１の立ち上がり部１２１ｂの後（背）面を当接させ、長孔１２１ｄ、１２１ｄをそれぞれに貫通しながら前方よりネジにて固定する。
【００３６】
前述のとおり、メンテナンスパネル９は、メンテナンスパネル９の補強片９２ａを上下調整部材１２２に引っ掛け、メンテナンスパネル固定部材１１、１１の取り付け部１１ｄの上面に、メンテナンスパネル９の上板９２の下面を載置し、上方より化粧ネジ１２で固定され取り付けられる。この時、上下調整部材１２２の受け部１２２ｂの上面に、メンテナンスパネル９の上板９２の下面は載置しているため、上下調整部材１２２を上方に移動するとメンテナンスパネル９も上方に移動させることができる。また、上下調整部材１２２はメンテナンスパネル９の下方への撓みを防止している。
【００３７】
そして、引戸扉６の前側凹部７００の底部と、メンテナンスパネル９の下端部の隙間を前側より確認し、所定の隙間ではないときは、一旦、メンテナンスパネル９を取り外し、メンテナンスパネル固定部材１１、１１と上下調整部材１２２のネジを緩め上下調整を行う。
【００３８】
次に、メンテナンスパネル９の前表面板９１と引戸扉６の前面板６２の面一具合を確認する。メンテナンスパネル９の両端は、メンテナンスパネル固定部材１１、１１で位置決めされているので、特段の調整は不要である。
しかしながら、メンテナンスパネル９の中央部は、前後方向に撓んだり、前後方向に傾いたりすることがあり、その場合、メンテナンスパネル９の中央部の前後方向の調整が必要である。
【００３９】
メンテナンスパネル９の中央部の前後方向の調整は次のように行う。
図１１の（イ）に示されるように、メンテナンスパネル９の中央部が前方に撓んでいる時、メンテナンスパネル９は引戸扉６の前面板６２より前方に飛び出しているが、調整部材１２２を後方に移動させることにより、撓みを矯正でき、メンテナンスパネル９の表面と引戸扉６の表面をほぼ面一にできる。
図１１の（ロ）に示されるように、メンテナンスパネル９の中央部の上部が前方に傾いている時、メンテナンスパネル９の上部表面は、引戸扉６の前面板６２より前方に飛び出しているが、調整部材１２２を後方に移動させることにより、傾きを矯正でき、メンテナンスパネル９の表面と引戸扉６の表面をほぼ面一にできる。
図１１の（ハ）に示されるように、メンテナンスパネル９の中央部の上部が後方に傾いている時、メンテナンスパネル９の下部表面は引戸扉６の前面板６２より前方に飛び出しているが、調整部材１２２を前方に移動させることにより、傾きを矯正でき、メンテナンスパネル９の表面と引戸扉６の表面をほぼ面一にできる。
尚、調整部材１２２の前後方向の調整は、前後調整部材１２１の基部１２１ａを固定しているネジを緩めることにより、長孔１２１ｃ、１２１ｃの長さ分だけ移動させることが可能である。
このように、メンテナンスパネル９の撓み方、傾き方は一定の法則で表れるものではないので、調整部材１２２は、上下方向に加え、前後方向の調整も行えた方が、様々なケースに対応することが可能となる。
【００４０】
また、調整部材１２２の上下調整部材１２２でメンテナンスパネル９の補強片９２ａを前後方向から挟むことができる形状にすれば、メンテナンスパネル９が中央部付近で後方に撓む場合でも、調整部材１２２を前方に移動すれば、メンテナンスパネル９の補強片９２ａを上下調整部材１２２で前方に押すことができる。
メンテナンスパネル９は、前面側が重いことから、メンテナンスパネル９は前方に撓む傾向にある。この場合、メンテナンスパネル９を前方に押す方法は省略することができる。
【００４１】
上下調整部材１２２にも、受け部１２２ｂにも前記、前後調整部材１２１の長孔１２１ｃ、１２１ｃに対応した螺孔１２２ｃが設けられているのは、上下調整部材１２２を回転させて、受け部１２２ｂを掛かり部として使用し、掛かり部１２２ａを受け部として使用できるようにしているためである。
これは、受け部１２２ｂの螺孔位置と、掛かり部１２２ａの螺孔位置の設定を変えることによって、上下調整部材１２２の取り付け初期の高さを変えることができる。
例えば、掛かり部１２２ａの螺孔１２２ｃを下方に設定すると、上下調整部材１２２の取り付け初期の高さが高くなる。そして、受け部１２２ｂの螺孔１２２ｃを上方に設定すると受け部１２２ｂを掛かり部として使用し時、上下調整部材１２２の取り付け初期の高さが低くなる。
このようにすると、上下調整部材１２２を上方に移動させる量を大きく、下方に移動される量を小さくして、他方をその反対となるように設定することができるので、上下調整部材１２２の上下方向の調整をより大きくすることが可能である。
【００４２】
以上のように各部材が取り付けられ組み立てられた引戸装置１００は、引戸扉６の前側凹部７００にメンテナンスパネル下部突部９４が収容できる。そして、メンテナンスパネル９の前表面板９１と引戸扉６の前面板６２がほぼ面一に形成することが可能である。
【００４３】
また、本件アウトセット引戸装置は、メンテナンスパネル９の前表面板９１と引戸扉６の前面板６２がほぼ面一状態とすることが可能なメンテナンスパネル９の上下、前後の調整による方法に加え、引戸扉６の上面の回転ローラー１０によって、メンテナンスパネル９の前表面板９１と引戸扉６の前面板６２をほぼ面一状態とすることが容易となる方法も備えている。
【００４４】
引戸扉６の上面に設けられる回転ローラー１０は、回転ローラー１０の側面が、メンテナンスパネル９の内面のガイド板９５に近接し、回転ローラー１０は、鉛直する軸を回転軸としているため、引戸扉６の開閉方向に回転可能とされている。
【００４５】
そして、近接する回転ローラー１０の側面とガイド板９５間の隙間が、凸部材７とメンテナンスパネル下部突部９４間の前後隙間より小さく設定されている。
そのため、凸部材７（上部カバー８）とメンテナンスパネル下部突部が直接干渉する前に、回転ローラー１０の側面とガイド板９５が接触する。
回転ローラー１０は、引戸扉６の開閉方向に回転可能であるから、回転ローラー１０の側面とガイド板９５が接触しても、擦り音の発生や、接触抵抗の発生が皆無である。
尚、ガイド板９５は、回転ローラー１０とガイド板９５間の隙間を調整するのに加え、メンテナンスパネルの補強を兼ねている。
【００４６】
このように、凸部材７とメンテナンスパネル下部突部９４間の隙間が、メンテナンスネル９の歪みや、引戸扉６の開閉軌道のズレなどによって小さくなっている部分を引戸扉６が通過する際、回転ローラー１０が、メンテナンスネル９を前側に押し広げながら通過するので、凸部材７（上部カバー８）とメンテナンスパネル下部突部が直接干渉しない。
そのため、調整部材１２によって、メンテナンスパネル９の前後方向を調整する際に、メンテナンスパネル９を後方寄りになるよう調整することが可能となるので、メンテナンスパネル９の前表面板９１と引戸扉６の前面板６２がほぼ面一状態することが容易である。
尚、回転ローラー１０は、小径のものをメンテナンスパネル９に取り付ける方法でも構わない。
【符号の説明】
【００４７】
１          開口枠
１００      引戸装置
１０１      建物用鉄骨
１０３      戸尻側縦枠
１０４      戸先側縦枠
１０５      上枠
２          レール補強部材
５          レール保持材
６          引戸扉
６２        前面板
６３        後面板
７          凸部材
７００      前側凹部
７０１      後側凹部
７２        凸部
８          上部カバー
９          メンテナンスパネル
９１        前表面板
９４        メンテナンスパネル下部突部
１０        回転ローラー
１１        メンテナンスパネル固定部材
１２        調整部材
１２１      前後調整部材
１２２      上下調整部材
【図１】
2018159228.tif 000003
【図２】
2018159228.tif 000004
【図３】
2018159228.tif 000005
【図４】
2018159228.tif 000006
【図５】
2018159228.tif 000007
【図６】
2018159228.tif 000008
【図７】
2018159228.tif 000009
【図８】
2018159228.tif 000010
【図９】
2018159228.tif 000011
【図１０】
2018159228.tif 000012
【図１１】
2018159228.tif 000013